(57)【要約】【課題】  緊急を要する場合にも血管を所望の位置で容易に閉塞させることができる血管閉塞器具を提供すること。【解決手段】  血管閉塞器具は、外筒２０と、外筒２０内に挿入され、皮膚等のアクセス部位を拡張する機能を有する内筒３０と、上記外筒の先端部分に取り付けられた血管閉塞用バルーン４０を備えている。外筒２０は二重管構造を有し、２本の管間の隙間は、バルーン４０を膨張させるための流体を通す通路を形成している。この血管閉塞器具は、シース機能も備えているので、簡単な操作で血管を所望の位置で迅速に閉塞させることができる。【選択図】  図１
2007021143.tif 000002
【特許請求の範囲】
【請求項１】
血管内に挿入され、血管を閉塞させる血管閉塞器具であって、外筒と、該外筒内に挿入され、アクセス部位を拡張する機能を有する内筒と、上記外筒の先端部分に取り付けられた少なくとも１個の血管閉塞用バルーンを備え、上記外筒に、上記バルーンを膨張させるための流体を通す通路が設けられていることを特徴とする血管閉塞器具。
【請求項２】
血管内に挿入され、血管を閉塞させる血管閉塞器具であって、外筒と、該外筒内に挿入され、アクセス部位を拡張する機能を有する内筒と、上記外筒の先端部分に取り付けられた少なくとも１個の血管閉塞用バルーンを備え、上記外筒の少なくとも一部が二重管構造をなし、上記バルーンを膨張させるための流体を通す通路が該二重管の管壁間に形成されていることを特徴とする血管閉塞器具。
【請求項３】
血管内に挿入され、血管を閉塞させる血管閉塞器具であって、外筒と、該外筒内に挿入され、アクセス部位を拡張する機能を有する内筒と、上記外筒の先端部分に取り付けられた少なくとも１個の血管閉塞用バルーンを備え、
上記外筒は、最も外側に配置される外側外筒と、該外側外筒の内側に同心状に配置される内側外筒から構成され、外側外筒の先端部分の一部が凹状に形成されているとともに、該凹状部分に少なくとも１個の開口を備え、
上記血管閉塞用バルーンが、上記外側外筒の凹状部分に取り付けられており、
外側外筒と内側外筒の間に、上記血管閉塞用バルーンを膨張させるための液体を通すための通路が設けられていることを特徴とする血管閉塞器具。
【請求項４】
請求項１乃至３のいずれか１項に記載の血管閉塞器具において、上記血管閉塞用バルーンを保護するためのカバーであって、血管閉塞器具を血管内に挿入後に体外部に取り出し可能なカバーを備えていることを特徴とする血管閉塞器具。
【発明の詳細な説明】
【技術分野】
【０００１】  本発明は、血管内に挿入され、血管内に挿入された状態でバルーンを膨張させることにより血管を閉塞させる血管閉塞器具に関する。
【背景技術】
【０００２】  従来、血管を所望の個所において閉塞させ、血管内を流れる血流を止めるための器具として、例えばバルーンカテーテルがある。このような血管閉塞用のバルーンカテーテルとしては、従来、特許文献１に記載されたものが知られている。
【特許文献１】  特開平２−１９３６７６号公報
【発明の開示】
【発明が解決しようとする課題】
【０００３】  従来の血管閉塞器具である上述のバルーンカテーテルは、患者の血管内への挿入が容易なように良好な可撓性を有する。しかし、良好な可撓性を有するために、カテーテルを患者の体内に挿入する際に、比較的剛性の大きな導入用シースを使用する必要があった。すなわち、従来のバルーンカテーテルを用いた血管閉塞処置では、まず患者の適当な部位から血管内の適当な個所まで導入用シースを挿入し、その後その導入用シースの内部に血管閉塞用バルーンカテーテルを挿入し、バルーンが血管内の所望の位置に到達した段階で、バルーンを膨張させて血管を閉塞させるという比較的時間のかかる手順を必要としている。【０００４】  本発明の目的は、緊急を要する場合にも短時間にかつ簡単に、血管を所望の位置で閉塞させることができる血管閉塞器具を提供することにある。【０００５】  本発明の他の目的は、構造が簡単で、従来の製造設備を大きく変更させることなく安価に製造できる血管閉塞器具を提供することにある。
【課題を解決するための手段】
【０００６】  本発明は、カテーテルの使用用途によっては、従来のカテーテルのように良好な可撓性を与える必要がない点にも着目してなされた。本発明の血管閉塞器具は、好ましくは、従来の導入用シースと類似の構造を持つ器具の外筒の先端付近に血管閉塞用バルーンを取り付けた構造を有する。このような構造を持たせることによって、従来のバルーンカテーテルの機能と導入用シースの機能を同時に得ることができる。したがって、本発明の血管閉塞器具を用いることによって、極めて簡単な操作で、血管を所望個所にて容易に閉塞させることができる。【０００７】  一つの態様によれば、本発明に係る血管閉塞器具は、血管内に挿入され、血管を閉塞させる血管閉塞器具であって、外筒と、該外筒内に挿入され、アクセス部位を拡張する機能を有する内筒と、上記外筒の先端部分に取り付けられた少なくとも１個の血管閉塞用バルーンを備える。また、上記外筒には、上記バルーンを膨張させるための流体を通す通路が設けられている。特に好適な態様においては、上記外筒の少なくとも一部が二重管構造をなし、上記バルーンを膨張させるための流体を通す通路が該二重管の管壁間に形成されている。
【発明の効果】
【０００８】  本発明の医療用血管閉塞器具によれば、血管を所望の位置で、極めて短時間に閉塞させることができるので、例えば、手術等において特定の部位からの出血を緊急に止めたい場合に極めて有効である。
【発明を実施するための最良の形態】
【実施例１】
【０００９】  最初に、本発明の一実施例に係る血管閉塞器具の構成について、図１を用いて説明する。なお、各図を通して、同一の参照符号は機能的に実質的に同一の構成を示す。図１は、本発明の第１の実施例に係る血管閉塞器具の全体構成を示している。【００１０】  図１において、１０は血管内に挿入され、血管を閉塞させる血管閉塞器具である。この血管閉塞器具１０は、外筒２０と、該外筒２０内に挿入され、皮膚等のアクセス部位を拡張する機能を有する内筒３０と、上記外筒２０の先端部分に取り付けられた血管閉塞用バルーン４０とから構成される。なお、同図において、５０はコネクタバルブ、６０はコネクタハブ、７０はルアロックコネクタ、８０はルアロックコネクタ７０をコネクタバルブ５０に接続するための接続管である。また、３０ａは内筒３０が外筒２０内から突き出た先端部分を示している。【００１１】  次に図２を参照し、図１に示された本発明の一実施例に係る血管閉塞器具の構造についてさらに詳細に説明する。図２は、本発明の第１の実施例に係る血管閉塞器具のバルーン取付部の拡大断面図である。【００１２】  本発明の外筒２０は、バルーン４０を取り付ける関係上、図示されているように二重管構造になっている。この外筒２０は、好適には、互いに一定の間隔をおいて同心状に配置される長短２個の筒からなる外側外筒２１と、該外側外筒の内側に同心状に配置される内側外筒２２から構成される。【００１３】  なお、本発明の血管閉塞器具の使用用途によっては、外側外筒２１と内側外筒２２を貫通する開口２４を、バルーン取付部より先端の部分に新たに設けても良い。この開口２４の機能については、後述する。【００１４】  上記血管閉塞用バルーン４０は、上記長短２個の外側外筒２１ａ及び２１ｂの間に取り付けられている。バルーンの取り付け方法は、従来から周知の一般のバルーンカテーテルの場合と同様であるので、ここでは説明を省略する。外側外筒２１ａ及び２１ｂのバルーン取付部分の径は、バルーン取付部分以外の外筒部分の径よりも小さくなっている。すなわち、外側外筒２１ａ及び２１ｂのバルーン取付部分の径は、血管閉塞用バルーン４０を外筒に取り付けた場合に、取り付けられたバルーン４０の外側表面がバルーン取付部分以外の外筒部分の外表面と実質的に同一平面になるように選択される。このように取り付けることによって、血管閉塞器具の外表面が、全長に渡って滑らかになるので、血管閉塞器具の体内への挿入が容易になる。なお、外側外筒２１ａは、必ずしも必要ではなく、内側外筒の肉厚を変えることによって、代替可能である。【００１５】  外側外筒２１と内側外筒２２の間には、上記血管閉塞用バルーンを膨張させるための流体を通すための通路２３が設けられている。上記外筒２０に設けられた流体通路２３を介して上記バルーン４０に流体を供給し、バルーン４０を膨張させることにより血管を閉塞させる。【００１６】  次に、図３を用いて、本発明の血管閉塞器具の取扱い方について説明する。図３は、本発明の第１の実施例に係る血管閉塞器具を血管内に挿入し、バルーンを膨張させ、血管を閉塞させた状態を示している。【００１７】    本発明の血管閉塞器具１０は、皮膚９０の予め決めておいたア���セス部位９１から挿入される。血管閉塞器具１０の挿入は、バルーン４０の位置が血管１００内の所定の位置まで達した段階で完了する。挿入後、図示のように、外筒間の通路を介して与えられる流体によって血管閉塞用バルーン４０が膨張させられ、血流が停止させられる。必要な場合には、内筒３０を引き抜くことによって、血液を流出または流入させることもできる。【００１８】    この場合、図２で説明したように、血管閉塞器具１０のバルーン取付部より先端部分に開口（サイドホール）２４を設けることによって、血管閉塞器具１０の先端が血管壁に接触しているような場合にも、血液の流れを滑らかに保つことができる。ただし、本発明の血管閉塞器具を通常の止血に用いる場合には、この開口２４は不要である。【００１９】    次に第２の実施例について説明する。図４は、本発明の第２の実施例に係る医療用血管閉塞器具のバルーン取付部の拡大断面図である。【００２０】  この外筒２０は、好適には、外側外筒２１と、該外側外筒の内側に同心状に配置される内側外筒２２から構成される。この第２実施例と第１実施例の構成上の差異は、外側外筒２１の構造にある。第１の実施例においては、外側外筒２１は、長短２個の外筒に分割されているが、この第２の実施例では、外側外筒２１は一体構造になっている。すなわち、この実施例では、外側外筒２１はバルーン取付部において外周囲全体にわたって台形状にへこまされた凹部形状になっている。この凹部は、例えば、外側外筒２１の周囲から加熱した金型を押圧することによって形成することができる。【００２１】  上記血管閉塞用バルーン４０は、上述のようにして形成された凹部にはめ込むようにして取り付けられる。このように取り付けることによって、バルーン４０の外表面と上記外側外筒２１の表面を、ほぼ同一平面にすることができる。この構造によっても、バルーン４０の外表面と外筒２０の外表面管に実質的な段差が生じないため、血管閉塞器具の体内への挿入が容易になる。【００２２】  外側外筒２１のバルーン部にはその周方向に少なくとも１個の開口が設けられている。バルーン４０は、外側外筒２１と内側外筒２２の間の通路及びこれらの開口を介して流入する液体によって膨張させられる。【００２３】  また、本発明に係る血管閉塞器具１０を体内に挿入する過程において、上述の血管閉塞用バルーン４０が損傷を受けないようにするため、血管閉塞器具１０を血管内の所定の部位まで挿入した後に、カバーのみを体外に取り出すことができるような当該カバーを、上記外筒２０を覆うように設けることが望ましい。【００２４】  図５は、このような保護用カバー４１が取り付けられた血管閉塞器具１０の外観を示している。図中、保護用カバー４１は、ハッチングで示されている。この保護用カバー４１は、少なくともバルーン４０を保護できるものであればよく、その形態はいかなるものであっても良い。器具全体の径を増大させないためにも、この保護用カバーはできるだけ薄いことが望ましい。例えば、オレフィンやテフロン等で作られ、体外から軸方向に引き裂くことによって、容易に体外に取り出すことができるピラウエイチューブ（ｐｅｅｌ−ａｗａｙ  ｔｕｂｅ）を使用することが望ましい。【０��２５】  この保護用カバーは、別個に製造され、本発明に係る血管閉塞器具１０全体が組立てられた後に、その表面を覆うように取り付けられる。この保護用カバーは、必ずしも血管閉塞器具１０全体を覆うものである必要はなく、少なくともバルーン部を保護できるものであれば良い。しかし、この保護カバーは、バルーンが所定の位置に到達した後、体外に引き抜かれるものであるから、少なくともその一部が体外に伸びている構造にする必要がある。【００２６】  本発明は以上の実施例に限定されるものではなく、本発明の技術的思想の範囲を逸脱しない限り、本願の請求項に含まれる。例えば、本願の実施例においては、いずれもバルーンの外表面が外側外筒の外表面と実質的に同一平面をなすように構成しているが、血管閉塞器具を挿入する際に支障がない範囲で両表面間にずれがあっても良い。【００２７】  また、上述の各実施例では、外筒がいずれも二重管構造になっているが、例えば、外筒の肉厚の一部に流体通路を形成することも可能である。要は外筒に設けられたバルーンを膨張収縮させるための流体通路が確保される構造であれば、本願発明の技術的範囲に含まれる。【００２８】  さらにまた、上述の実施例は、１個のバルーンのみを有する構造になっているが、使用用途によっては、器具の軸方向に２個のバルーンを取り付けることも可能である。その場合、バルーンを膨張させる流体用の通路は、従来公知のダブルバルーンカテーテルのものと同様に形成することができる。
【図面の簡単な説明】
【００２９】
【図１】  図１は、本発明の第１の実施例に係る血管閉塞器具の全体構成図である。
【図２】  図２は、本発明の第１の実施例に係る血管閉塞器具のバルーン取付部の拡大断面図である。
【図３】  図３は、本発明の第１の実施例に係る血管閉塞器具の血管内挿入状態を示す動作説明図である。
【図４】  図４は、本発明の第２の実施例に係る血管閉塞器具のバルーン取付部の拡大断面図である。
【図５】  図５は、保護用カバーを取り付けた状態の血管閉塞器具の外観図である。
【符号の説明】
【００３０】１０    血管閉塞器具
２０    外筒
２１    外側外筒
２２    内側外筒
２３    流体通路
２４    開口（サイドホール）
３０    内筒
４０    バルーン
４１    保護用カバー
５０    コネクタバルブ
６０    コネクタハブ
７０    ルアロックコネクタ
８０    接続管
９０    皮膚
９１    アクセス部位
１００  血管
【図１】
2007021143.tif 000003
【図２】
2007021143.tif 000004
【図３】
2007021143.tif 000005
【図４】
2007021143.tif 000006
【図５】
2007021143.tif 000007